(57)【要約】【課題】合体状態における装飾部材の外観不良を抑制可能な遊技機の提供を目的とする。【解決手段】遊技機１０の上部可動役物ユニット２００の左側装飾部材２５２及び右側装飾部材２５３は、カバー部材２５０の支持ベース２５１の前面に固定された第１装飾部２５２Ａ，２５３Ａと、第１装飾部２５２Ａ，２５３Ａに対して回動可能な第２装飾部材２５２Ｂ，２５３Ｂとで構成されている。第２装飾部２５２Ｂ，２５３Ｂは、自重によって回転しないように、第１回動部材２１０及び第２回動部材２２０によって受け止められている。そして、第１回動部材２１０及び第２回動部材２２０は引っ張りバネ２１３によって上方に付勢されている。【選択図】図１１
2019058439.tif 000002
【特許請求の範囲】
【請求項１】
第１装飾部と第２装飾部とを有し、前記第１装飾部に対して前記第２装飾部が自重で落下移動することにより合体状態から分離状態に変化する装飾部材を備えた遊技機であって、
前記合体状態において前記第２装飾部のずり落ちを抑制する合体保持機構と、
落下する前記第２装飾部を予め設定された落下位置に位置決め可能な位置決め機構とを有する遊技機。
【請求項２】
請求項１に記載の遊技機において、
前記合体保持機構は、駆動源により駆動されて前記第２装飾部を押し上げることにより前記装飾部材を前記分離状態から前記合体状態に復帰させる押上部材と、前記合体状態において前記押上部材を上側に付勢する付勢手段とを備える遊技機。
【請求項３】
請求項２に記載の遊技機において、
前記合体状態において前記第１装飾部が上側に移動することを許容する移動許容手段を有する遊技機。
【請求項４】
請求項３に記載の遊技機において、
前記付勢手段と前記移動許容手段とは共にバネで構成され、
前記移動許容手段を構成するバネのバネ定数が前記付勢手段を構成するバネのバネ定数より小さくなっている遊技機。
【請求項５】
請求項４に記載の遊技機において、
前記第１装飾部は、自重によって上端位置から下端位置へ移動可能に構成され、
前記移動許容手段は、前記第１装飾部を上側に付勢する引張りバネで構成されている遊技機。
【請求項６】
請求項１乃至５のうち何れか１の請求項に記載の遊技機において、
前記第２装飾部は、前記第１装飾部の下端部に回動可能に支持され、
前記位置決め機構は、前記第２装飾部の回動軸部から前記第１装飾部側に張り出した当接突片と、前記第１装飾部に設けられ、前記分離状態で前記当接突片と当接して前記第２装飾部の回動を規制する当接規制壁と、からなる遊技機。
【請求項７】
請求項１乃至６のうち何れか１の請求項に記載の遊技機において、
前記合体状態において前記装飾部材に近接配置される別の装飾部材をさらに有し、
前記押上部材は、前記別の装飾部材を支持して、前記別の装飾部材を前記装飾部材の近くに配置する上側近接位置と、前記別の装飾部材を前記装飾部材から下方に離れた位置に配置する下側離間位置と、の間を移動可能に構成され、
前記装飾部材は、前記押上部材が前記上側近接位置に配置されたときに前記合体状態となり、前記押上部材が前記下側離間位置に配置されたときに前記分離状態となる遊技機。
【発明の詳細な説明】
【技術分野】
【０００１】
本発明は、装飾部材を有する遊技機に関する。
【背景技術】
【０００２】
特許文献１には、装飾部材を構成する２つの可動体の一方が他方に対して自重で落下移動する遊技機が示されている。
【先行技術文献】
【特許文献】
【０００３】
【特許文献１】特開２０１７−０２９７８９号（段落［００２２］、図４，７）
【発明の概要】
【発明が解決しようとする課題】
【０００４】
特許文献１の遊技機では、２つの可動体が合体した状態において、他方の可動体が自重で下がると、２つの可動体の間に隙間が形成されてしまい、装飾部材の見栄えが悪くなるという問題があった。
【０００５】
合体状態における装飾部材の外観不良を抑制可能な遊技機の提供を目的とする。
【課題を解決するための手段】
【０００６】
第１の手段は、第１装飾部と第２装飾部とを有し、前記第１装飾部に対して前記第２装飾部が自重で落下移動することにより合体状態から分離状態に変化する装飾部材を備えた遊技機であって、前記合体状態において前記第２装飾部のずり落ちを抑制する合体保持機構と、落下する前記第２装飾部を予め設定された落下位置に位置決め可能な位置決め機構とを有する遊技機である。
【発明の効果】
【０００７】
上記発明によれば、合体状態における装飾部材の外観不良を抑制可能となる。
【図面の簡単な説明】
【０００８】
【図１】第１実施形態に係る遊技機の正面図
【図２】遊技盤の正面図
【図３】機構枠の正面図
【図４】下部可動役物ユニットの斜視図
【図５】下部固定ベースの前壁を後側から見た斜視図
【図６】（Ａ）第１回転位置に配置された回転アームと第１移動部材を模式的に示した図、（Ｂ）第２回転位置に配置された回転アームと第１移動部材を模式的に示した図
【図７】（Ａ）第１回転位置に配置された回転アームと第２移動部材を模式的に示した図、（Ｂ）第２回転位置に配置された回転アームと第２移動部材を模式的に示した図
【図８】下部可動役物が前進位置に配置されたときの遊技盤の正面図
【図９】上部可動役物ユニットの正面図
【図１０】上部可動役物ユニットからベースプレートを除いた部分の背面図
【図１１】（Ａ）第１回動部材が待機位置に配置されたときの上部可動役物ユニットを模式的に示す正面図、（Ｂ）上部可動役物ユニットの構成を模式的に示す底面図
【図１２】第１回動部材が演出位置に配置されたときの上部可動役物ユニットを模式的に示す正面図
【図１３】第２回動部材が重なり位置に配置されたときの第１回動部材の内部構造を示す断面図
【図１４】第２回動部材が展開位置に配置されたときの第１回動部材の内部構造を示す断面図
【図１５】第２回動部材が重なり位置に配置されたときの扇状ギアとラックの配置を示す断面図
【図１６】第２回動部材が展開位置に配置されたときの扇状ギアとラックの配置を示す断面図
【図１７】左側装飾部材と右側装飾部材の背面図
【図１８】連動演出が行われているときの遊技盤の正面図
【図１９】連動演出を行う上部可動役物ユニットと下部可動役物ユニットを模式的に表した（Ａ）正面図、（Ｂ）背面図
【発明を実施するための形態】
【０００９】
［第１実施形態］
図１に示されるように、本実施形態の遊技機１０は、パチンコ遊技機であって、前側が前面枠１０Ｚにて覆われており、その前面枠１０Ｚに形成されたガラス窓１０Ｗを通して図２に示される遊技盤１１の遊技領域Ｒ１が視認可能になっている。なお、以下の説明において、特記しない限り「右」及び「左」とは、遊技機１０を前方から見た場合の「右」及び「左」を指すものとする。
【００１０】
図１に示されるように、前面枠１０Ｚのうちガラス窓１０Ｗより下方には、上皿２６と下皿２７が上下２段にして設けられ、下皿２７の右側には発射用ハンドル２８が設けられている。発射用ハンドル２８を回動操作すると、上皿２６に収容された遊技球が遊技領域Ｒ１に向けて弾き出される。
【００１１】
図２に示されるように、遊技領域Ｒ１は全体が略円形状となっていて、ガイドレール１２により囲まれている。遊技盤１１のうち遊技領域Ｒ１の中央には、表示開口１１Ｈが貫通形成され、この表示開口１１Ｈを通して、表示装置１３の表示画面１３Ｇが視認可能となっている。
【００１２】
表示開口１１Ｈの開口縁には、表示装飾枠２３が取り付けられている。表示装飾枠２３は、遊技盤１１の前面側から表示開口１１Ｈに嵌め込まれ、遊技盤１１の前面から突出して遊技領域Ｒ１を流下する遊技球が表示装飾枠２３の内側に進入することを規制している。
【００１３】
遊技領域Ｒ１のうち表示装飾枠２３の下方における左右方向の中央部には、センター始動入賞口１４Ａ及びアウト口１６が、上から順に並べて設けられている。センター始動入賞口１４Ａは、ポケット構造をなし、その上面の開口部に遊技球が入球すると特別図柄当否判定が行われて、その特別図柄当否判定の結果が表示画面１３Ｇにて表示される。
【００１４】
表示装飾枠２３の右側には、始動ゲート１８が設けられると共に、表示装飾枠２３の右辺部のうち始動ゲート１８より下方位置には、サイド始動入賞口１４Ｂが形成されている。始動ゲート１８は、遊技球が潜って通過可能な門形構造をなし、遊技球が始動ゲート１８を通過すると普通図柄当否判定が行われる。また、サイド始動入賞口１４Ｂは、右側に開口し、可動片１４Ｈによって開閉される。具体的には、可動片１４Ｈは、通常は、鉛直に起立した閉位置に配置され、上述の普通図柄当否判定の結果が当りとなったことを条件にして、下端部を中心に回動し、横倒しとなった開位置（図２に示される位置）に配置される。開位置に配置された可動片１４Ｈは、上方から流下する遊技球を受け止めてサイド始動入賞口１４Ｂへと案内する。センター始動入賞口１４Ａと同様に、サイド始動入賞口１４Ｂに遊技球が入球したときも、特別図柄当否判定が行われ、その結果が表示画面１３Ｇにて表示される。
【００１５】
表示装飾枠２３の右下には、左下がりに傾斜し且つ複数の球落下口２５Ａを有した傾斜誘導部２５が形成されている。傾斜誘導部２５は、表示装飾枠２３の右側に形成された右側流下路２４Ｒを流下してきた遊技球を受け止めて左側へと誘導し、球落下口２５Ａから遊技球を落下させる。なお、本実施形態では、傾斜誘導部２５は、複数の釘を列状に並べて構成される道釘と、樹脂ブロック１９の上面１９Ｊとで構成されている。
【００１６】
本実施形態では、傾斜誘導部２５に設けられた球落下口２５Ａが２つとなっている。そして、左側の球落下口２５Ａの下方に、第１大入賞部３１の第１大入賞口３１Ｋと第２大入賞部３２の第２大入賞口３２Ｋが上下に並べて設けられている。また、右側の球落下口２５Ａの下方には、遊技球を受け入れて第２大入賞口３２Ｋより下方に流下させる迂回路２５Ｕが設けられている。
【００１７】
第１大入賞口３１Ｋは、横長矩形状をなして前方に開放し、第１開閉扉３１Ｔによって開閉される。第１開閉扉３１Ｔは、第１大入賞口３１Ｋの下辺部を中心にして回動可能となっていて、通常は、略鉛直に起立した起立姿勢に保持されて、第１大入賞口３１Ｋを閉塞している。第２大入賞口３２Ｋは、第１大入賞口３１Ｋより幅広な横長矩形状をなして前方に開放し、第２開閉扉３２Ｔによって開閉される。第２開閉扉３２Ｔは、第２大入賞口３２Ｋの下辺部を中心にして回動可能となっていて、通常は、略鉛直に起立した起立姿勢に保持されて、第２大入賞口３２Ｋを閉塞している。なお、第１大入賞口３１Ｋと第２大入賞口３２Ｋとは、右辺部が揃えて配置されている。
【００１８】
第１大入賞口３１Ｋと第２大入賞口３２Ｋは、上述した特別図柄当否判定の結果が当りとなったことを条件にして行われる大当り遊技の実行中に開放される。具体的には、大当り遊技が実行されると、第１開閉扉３１Ｔと第２開閉扉３２Ｔの何れか一方が、所定期間（例えば、１０秒）に亘って前方に倒れる。これにより、第１大入賞口３１Ｋと第２大入賞口３２Ｋの何れか一方に遊技球が入球可能となる。ここで、何れか一方の大入賞口３１Ｋ，３２Ｋを入賞可能状態（所定期間内に繰り返し行われる開閉動作も含む）としてから入賞不可状態とするまでの（開放状態から閉塞状態までの）動作を「ラウンド」と称すると、１回の大当り遊技は、所定回数（例えば、１６ラウンド）のラウンドが実行されるまで継続する。１回のラウンドは、大入賞口３１Ｋ，３２Ｋの開放時間が予め設定された上限時間に達するか、又は、規定上限数（例えば、１０個）の遊技球が入賞すると終了する。なお、本実施形態では、第１大入賞口３１Ｋは、所定のラウンド（例えば、３ラウンド目）で開放される。
【００１９】
図２に示されるように、遊技領域Ｒ１には、遊技球が入球可能な一般入賞口２１が複数設けられている。一般入賞口２１は、センター始動入賞口１４Ａと同様に、ポケット構造をなし、遊技球を受け入れ可能となっている。詳細には、一般入賞口２１は、遊技領域Ｒ１における左下部分とサイド始動入賞口１４Ｂの右側に配置されている。なお、センター始動入賞口１４Ａ、サイド始動入賞口１４Ｂ、第１大入賞口３１Ｋ、第２大入賞口３２Ｋ及び一般入賞口２１の何れかに遊技球が入球すると、各入賞口に対応して設定された所定数の賞球が上皿２６に払い出される。また、上記の何れの入賞口にも入球しなかった遊技球は、遊技領域Ｒ１の下端に配置されたアウト口１６に取り込まれる。
【００２０】
遊技盤１１の裏側には、図３に示される機構枠１７が備えられている。機構枠１７には、下部可動役物ユニット１００及び上部可動役物ユニット２００を含む種々の部品が固定されている。なお、機構枠１７の内側の開口部１７Ａは、遊技盤１１の表示開口１１Ｈ（図２参照）に重ねられて、表示装置１３の表示画面１３Ｇを視認可能とする。
【００２１】
［下部可動役物ユニット１００］
図４に示されるように、下部可動役物ユニット１００は、機構枠１７の下辺部に固定される下部固定ベース１０１に、下部可動役物１００Ｙと、下部可動役物１００Ｙを下部固定ベース１０１に対して移動させる下部駆動機構１３０と、を取り付けた構成になっている。本実施形態では、下部可動役物１００Ｙは、第１移動部材１１０と第２移動部材１２０の２つの移動部材からなる。
【００２２】
下部固定ベース１０１は、上部に開口１０１Ｋを有するケース状に形成され、第１移動部材１１０と第２移動部材１２０を内部に収容可能に構成されている。下部固定ベース１０１の前壁１０２の左右方向の中間部には、右側を後側に引っ込ませる段差部１０２Ｄが設けられている。前壁１０２のうち段差部１０２Ｄより右側の後側引込部位１０３に下部駆動機構１３０が固定され、前壁１０２のうち段差部１０２Ｄより左側の前側迫出部位１０４の前面に装飾プレート１０５が重ねて固定されている。
【００２３】
図５に示されるように、第１移動部材１１０及び第２移動部材１２０は、前後に扁平な板状をなし、下部固定ベース１０１の内部に収容された状態で前壁１０２の前側迫出部位１０４に後側から重ねられている。具体的には、前側迫出部位１０４の後ろに第１移動部材１１０が重ねられ、第１移動部材１１０の後ろに第２移動部材１２０が重ねられる。なお、前壁１０２の段差部１０２Ｄは左下がりに傾斜し（下部固定ベース１０１を後側から見た図５では、右下がりに傾斜している。）、第１移動部材１１０及び第２移動部材１２０は段差部１０２Ｄに沿って配置されている。
【００２４】
図６（Ａ），（Ｂ）には、前壁１０２と第１移動部材１１０を後側から見た図が示されている。また、図７（Ａ），（Ｂ）では、前壁１０２と第１移動部材１１０と第２移動部材１２０を後側から見た図が示されている。図６（Ａ），（Ｂ），７（Ａ），（Ｂ）では、各部材同士の区別を容易にするために、第１移動部材１１０が灰色で示されている。
【００２５】
図６（Ａ），（Ｂ）に示されるように、前壁１０２の後面には、段差部１０２Ｄと同様に左下がりに傾斜した第１直動ガイド孔１０６が設けられている。第１直動ガイド孔１０６は対をなして設けられ、一方の第１直動ガイド孔１０６は後側引込部位１０３に形成され、他方の第１直動ガイド孔１０６は前側迫出部位１０４に形成されている。
【００２６】
図６（Ａ）に示されるように、第１移動部材１１０は、縦長長方形状をなすベース部１１１と、ベース部１１１から側方に突出した側方張出部１１２と、ベース部１１１の前面に重ねて固定された装飾プレート１１５（図４，５参照）と、を備えている。なお、装飾プレート１１５には、装飾プレート１０５と同様の装飾が施されている。
【００２７】
ベース部１１１は前壁１０２の前側迫出部位１０４に重ねられ、側方張出部１１２は前壁１０２の後側引込部位１０３に後側から重ねられる。そして、ベース部１１１の一辺が段差部１０２Ｄに沿って配置されている。ベース部１１１の下端部には、前側迫出部位１０４に設けられた第１直動ガイド孔１０６と係合して第１直動ガイド孔１０６に沿って移動するスライダ１１３が固定されている。また、側方張出部１１２の下端部には、後側引込部位１０３に設けられた第１直動ガイド孔１０６と係合して第１直動ガイド孔１０６に沿って移動するスライダ１１４が固定されている。
【００２８】
ベース部１１１には、第１直動ガイド孔１０６と略平行に延びる第２直動ガイド孔１１６が設けられている。第２直動ガイド孔１１６は、前側迫出部位１０４に設けられた第１直動ガイド孔１０６を幅方向に挟むように対をなして設けられている。また、側方張出部１１２の上端寄り部分には、第１直動ガイド孔１０６と直交する方向に沿って延びる第１長孔１１７が形成されている。
【００２９】
図５，７（Ａ）に示されるように、第２移動部材１２０は、長方形状をなすベース部１２１の上側部分の前面に装飾プレート１２５が重ねて固定されてなり、第１移動部材１１０のベース部１１１に重ねられている。なお、装飾プレート１２５には、装飾プレート１１５と同様の装飾が施されている。
【００３０】
第２移動部材１２０のベース部１２１の下端部には、第１移動部材１１０に設けられた１対の第２直動ガイド孔１１６，１１６と係合してそれら１対の第２直動ガイド孔１１６に沿って移動する１対のスライダ１２２，１２２が固定されている。また、ベース部１２１の下端部には、第２直動ガイド孔１１６と直交する方向に沿って延びる第２長孔１２７が形成されている。
【００３１】
図４，５に示されるように、下部駆動機構１３０は、回転駆動源１３１と、回転駆動源１３１によって回転駆動される回転アーム１３２と、回転駆動源１３１からの動力を回転アーム１３２に伝達する複数の動力伝達ギア１３３と、を備えている。回転アーム１３２は、下部固定ベース１０１の前壁１０２に後側から重ねられて前壁１０２の後側引込部位１０３に回転可能に支持されている。回転アーム１３２は、通常は、回転軸部１３２Ｊから水平方向に沿って左側、即ち、前側迫出部位１０４側へと延びた第１回転位置（図７（Ａ）参照）に配置され、回転駆動源１３１によって駆動されると、回転軸部１３２Ｊから左斜め上側へ延びた第２回転位置（図７（Ｂ）参照）に配置される。
【００３２】
図６（Ａ）に示されるように、回転アーム１３２の中間部には、第１移動部材１１０の側方張出部１１２に設けられた第１長孔１１７と係合する第１係合突起１３４が形成されている。また、図７（Ａ）に示されるように、回転アーム１３２の先端部には、第２移動部材１２０のベース部１２１に設けられた第２長孔１２７と係合する第２係合突起１３５が形成されている。
【００３３】
図６（Ａ）から図６（Ｂ）への変化に示されるように、回転アーム１３２が第１回転位置から第２回転位置へと回転すると、回転アーム１３２の中間部に設けられた第１係合突起１３４が第１移動部材１１０の第１長孔１１７の内面を押し上げ、第１移動部材１１０が１対の第１直動ガイド孔１０６，１０６に沿って上側へと移動する。このとき、図７（Ａ）から図７（Ｂ）への変化に示されるように、回転アーム１３２の先端部に設けられた第２係合突起１３５が第２移動部材１２０の第２長孔１２７の内面を押し上げる。ここで、第２係合突起１３５は第１係合突起１３４よりも回転アーム１３２の先端側に設けられているので、第１係合突起１３４が第１移動部材１１０を持ち上げる量よりも第２係合突起１３５が第２移動部材１２０を持ち上げる量の方が大きくなる。従って、第２移動部材１２０は、第１移動部材１１０の１対の第２直動ガイド孔１１６，１１６に沿って上側に移動する。そして、回転アーム１３２が第２回転位置に配置されると、下部固定ベース１０１から第１移動部材１１０が上方に突出し、第１移動部材１１０に対して第２移動部材１２０が上方に突出する（図７（Ｂ）参照）。
【００３４】
このように、本実施形態の遊技機１０では、回転駆動源１３１（図４参照）の駆動によって第１移動部材１１０と第２移動部材１２０とからなる下部可動役物１００Ｙが上下方向に対して斜めに移動する。そして、下部可動役物１００Ｙは、図３に示される後退位置と図８に示される前進位置との間を移動する。下部可動役物１００Ｙが前進位置に配置されると、下部固定ベース１０１に固定された装飾プレート１０５と、第１移動部材１１０に固定された装飾プレート１１５と、第２移動部材１２０に固定された装飾プレート１２５と、が直線状に並び、１つの棒状の意匠を構成する（図８では、装飾プレート１０５，１１５，１２５が灰色で示されている。）。なお、図３に示されるように、後退位置に配置された下部可動役物１００Ｙと装飾プレート１０５は、下部カバー部材１０７に前側を覆われて、視認困難となっている。下部カバー部材１０７は、下部可動役物１００Ｙの前進位置への移動に連動して、装飾プレート１０５を露出させるように移動する（図８参照）。
【００３５】
［上部可動役物ユニット２００］
図９〜１１に示されるように、上部可動役物ユニット２００は、機構枠１７の上辺部に固定される上部固定ベース２０１と、上部固定ベース２０１に支持されて遊技盤１１の前面に沿って回動可能な第１回動部材２１０と、第１回動部材２１０に支持されて遊技盤１１の前面に沿って回動可能な第２回動部材２２０と、上部固定ベース２０１に支持されて第１回動部材２１０及び第２回動部材２２０を前側から覆うカバー部材２５０と、備えている。
【００３６】
図１１（Ａ），（Ｂ）に示されるように、上部固定ベース２０１は、横長矩形状をなすベースプレート２０２に第１回動部材２１０を駆動するための駆動源２１０Ｋを固定して備える。詳細には、ベースプレート２０２の左右方向の中間部には、凹部２０２Ａ（図１１（Ｂ）参照）が設けられていて、駆動源２１０Ｋはベースプレート２０２のうち凹部２０２Ａよりも右側の部位２０３（以下、ベース右側部位２０３という。）の後面に取り付けられている。ベース右側部位２０３の前面には、駆動源２１０Ｋによって駆動される駆動レバー２０６が回転可能に取り付けられている。駆動レバー２０６は、通常は、回動軸部２０６Ｊ（図１０参照）から左斜め上方へと延びる第１レバー位置（図１０に示される駆動レバー２０６の位置）に配置され、駆動源２１０Ｋにより駆動されて回動軸部２０６Ｊから左斜め下方へと延びる第２レバー位置（図示せず）に配置される。凹部２０２Ａの奥面には、上部装飾プレート２０５（（図１１（Ｂ），１９（Ａ）参照））が重ねて固定されている。なお、駆動レバー２０６は、第１レバー位置に配置されたときに、上部装飾プレート２０５に前側から重なる。
【００３７】
ベースプレート２０２のうち凹部２０２Ａよりも左側の部位（以下、ベース左側部位２０４という。）には、第１回動部材２１０とカバー部材２５０が取り付けられている。ベース左側部位２０４の左端部からは、第１回動部材２１０及びカバー部材２５０を左側方から覆うカバー突部２０７が突出している。
【００３８】
図１０，１１（Ａ）に示されるように、第１回動部材２１０は、横長の雲形をなす平板状に形成され、その左側端部（第１回動部材２１０を後側から見た図１０では右側の端部）にベースプレート２０２の左上部に支持された回動軸部２１０Ｊを有している。また、第１回動部材２１０の後面には、駆動レバー２０６に形成された長孔２０６Ｎと係合するスライダ２１１（図１０参照）が固定されている。そして、この長孔２０６Ｎとスライダ２１１の係合によって、第１回動部材２１０は、駆動レバー２０６からの動力を受けて回動軸部２１０Ｊを中心に回動可能となっている。なお、第１回動部材２１０は、通常は、回動軸部２１０Ｊから右側へ延びてベースプレート２０２に固定された上部装飾プレート２０５を前側から覆う待機位置（図９，１１（Ａ））に配置され、所定の演出条件が成立したときに、回動軸部２１０Ｊから右斜め下方へ延びて上部装飾プレート２０５を視認可能にする演出位置（図１２，１９（Ａ））に配置される。
【００３９】
図１０に示されるように、第１回動部材２１０の後面には、係止フック２１２が設けられている。係止フック２１２には、上下方向に沿って延びる引張りバネ２１３の下端が引っ掛けられている。引張りバネ２１３の上端は、上部固定ベース２０１の前面に設けられた図示しない係止フックに引っ掛けられている。そして、引張りバネ２１３によって第１回動部材２１０は、上側に付勢されている。
【００４０】
図１１（Ａ），（Ｂ）に示されるように、第２回動部材２２０は、第１回動部材２１０よりも短い横長の雲形をなす平板状に形成され、第１回動部材２１０の右側部分に前側から重ねられている。そして、第２回動部材２２０は、その右側端部に第１回動部材２１０に支持された回動軸部２２０Ｊ（図１１（Ｂ），１３参照）を有している。第２回動部材２２０は、第１回動部材２１０の回動に連動して、第１回動部材２１０に対し回動軸部２２０Ｊを中心に回動する。
【００４１】
具体的には、図１３に示されるように、第２回動部材２２０は、中継リンク２３０にも回動可能に支持されている。中継リンク２３０は、ベースプレート２０２の左側部に回転自在に支持され、回転中心２３０Ｃから右側へ延びて第１回動部材２１０を貫通している。そして、中継リンク２３０の先端部に、第２回動部材２２０が回動可能に支持されている。ここで、中継リンク２３０の回転中心２３０Ｃは、第１回動部材２１０の回動軸部２１０Ｊからずれた位置に配置されている。また、第２回動部材２２０のうち中継リンク２３０との連結部位２３４は、第２回動部材２２０の回動軸部２２０Ｊとは異なる位置に配置されている。
【００４２】
図１３から図１４への変化に示されるように、第１回動部材２１０が待機位置から演出位置へ回動すると、第１回動部材２１０に支持された第２回動部材２２０の回動軸部２２０Ｊも第１回動部材２１０の回動軸部２１０Ｊの回りに回動する。このとき、第２回動部材２２０における回動軸部２２０Ｊと連結部位２３４との間隔及び中継リンク２３０の回転中心２３０Ｃと連結部位２３４との間隔は一定となっているので、回動軸部２２０Ｊと連結部位２３４を結ぶ直線Ｌ１と連結部位２３４と中継リンク２３０の回転中心２３０Ｃを結ぶ直線Ｌ２とがなす角度を変化させるように、中継リンク２３０が回転中心２３０Ｃを中心に回転し、第２回動部材２２０が回動軸部２２０Ｊを中心に回動する。その結果、本実施形態の遊技機１０では、第１回動部材２１０が待機位置に配置されたときに、第２回動部材２２０が第１回動部材２１０に重ねられた重なり位置（図１１（Ａ），１３参照）に配置され、第１回動部材２１０が演出位置に配置されたときに、第２回動部材２２０は、その左側部分が第１回動部材２１０に対して下側にずれた展開位置（図１２，１４参照）に配置される。
【００４３】
図９，１１（Ａ），（Ｂ），１２に示されるように、第２回動部材２２０の前面には、中央装飾部材２２５が回転可能に取り付けられている。中央装飾部材２２５は、第２回動部材２２０が第１回動部材２１０に対して回動するときに、その回動に連動して回転する。
【００４４】
具体的には、中央装飾部材２２５は、装飾部本体２２５Ａの右下隅部から張出部２２５Ｂが張り出した構造になっていて（図１２参照）、装飾部本体２２５Ａが第２回動部材２２０の左側部分に前側から重ねられている。張出部２２５Ｂには、第２回動部材２２０の長手方向の中間部に支持される回動軸部２２５Ｊが備えられている。図１５に示されるように、回動軸部２２５Ｊには、外側に半円状に張り出した扇状ギア２２６が一体に形成されていて、この扇状ギア２２６が第１回動部材２１０に設けられたラック２２７と噛合している。ラック２２７は、第２回動部材２２０の回動軸部２２０Ｊを中心とする円弧状に形成されている。そして、図１６に示されるように、第２回動部材２２０が第１回動部材２１０に対して回動軸部２２０Ｊを中心に回動すると、扇状ギア２２６がラック２２７に対して移動すると共に回転し、中央装飾部材２２５が第２回動部材２２０に対して回動軸部２２５Ｊを中心に回動する。
【００４５】
図９，１１，１２に示されるように、カバー部材２５０は、横長の支持ベース２５１の両端部に左側装飾部材２５２と右側装飾部材２５３を固定して備えている。支持ベース２５１は、左右方向に延在する天井壁の前端からカバー壁が垂下してなるフード部２５１Ａと、フード部２５１Ａから右側に延設されたアーム部２５１Ｂと、を備えている（図９，１１（Ａ））。なお、アーム部２５１Ｂの右側の端部には、上部固定ベース２０１の右側部に備えられた係合突部２０８の係合溝２０８Ａと係合することで、上部固定ベース２０１から前側に離れることを抑制する抜止片２５１Ｈが設けられている（図１１（Ｂ））。
【００４６】
支持ベース２５１のフード部２５１Ａは、上部固定ベース２０１のベースプレート２０２の左上部に回転自在に取り付けられている。このため、カバー部材２５０は、自重によって正面視時計方向に回転しようとする。この回転を抑制するため、カバー部材２５０のアーム部２５１Ｂには、図９に示される吊上げバネ２５５が取り付けられている。本実施形態では、カバー部材２５０の回動中心は、第１回動部材２１０の回動軸部２１０Ｊと同じ位置に配置されているが、異なる位置に配置されてもよい。なお、カバー部材２５０の回転は、アーム部２５１Ｂに設けられた抜止片２５１Ｈが係合溝２０８Ａの内面のうち上側を向く面と当接することで規制されてもよい。この場合には、吊上げバネ２５５は、カバー部材２５０の衝撃を吸収する。
【００４７】
図９に示されるように、吊上げバネ２５５は、上下方向に沿って延びる引張りバネで構成されている。吊上げバネ２５５の上端部は、上部固定ベース２０１のベースプレート２０２に固定され、吊上げバネ２５５の下端部は、アーム部２５１Ｂに固定されている。そして、吊上げバネ２５５は、カバー部材２５０（詳細には、アーム部２５１Ｂ）を上方に付勢して、カバー部材２５０の正面視時計方向への回転を抑制する。また、吊上げバネ２５５は、カバー部材２５０が下方から力を受けたときにカバー部材２５０が上方へ移動することを許容する。なお、吊上げバネ２５５のバネ定数は、上述した引張りバネ２１３（図１０参照）のバネ定数よりも小さくなっている。
【００４８】
図１１（Ａ），１２に示されるように、左側装飾部材２５２は、カバー部材２５０の支持ベース２５１の前面に固定された第１装飾部２５２Ａと、第１装飾部２５２Ａに対して遊技盤１１の前面に沿って回動可能な第２装飾部２５２Ｂと、で構成されている。第２装飾部２５２Ｂは、第１装飾部２５２Ａに近接配置されて第１装飾部２５２Ａとの間に隙間を形成しない近接位置（図１１（Ａ）参照）と、第１装飾部２５２Ａから離間して第１装飾部２５２Ａとの間に隙間を形成する離間位置（図１２参照）と、に配置される。そして、第２装飾部２５２Ｂが近接位置に配置されたときに左側装飾部材２５２が合体状態となり、第２装飾部２５２Ｂが離間位置に配置されたときに左側装飾部材２５２が分離状態となる。
【００４９】
図１１（Ａ），１２に示されるように、右側装飾部材２５３は、左側装飾部材２５２と同様に、カバー部材２５０の支持ベース２５１の前面に固定された第１装飾部２５３Ａと、第１装飾部２５３Ａに対し遊技盤１１の前面に沿って回動可能な第２装飾部２５３Ｂと、で構成されている。第２装飾部２５３Ｂは、第１装飾部２５３Ａに近接配置されて第１装飾部２５３Ａとの間に隙間を形成しない近接位置（図１１（Ａ）参照）と、第１装飾部２５３Ａから離間して第１装飾部２５３Ａとの間に隙間を形成する離間位置（図１２参照）と、に配置される。そして、第２装飾部２５３Ｂが近接位置に配置されたときに右側装飾部材２５３が合体状態となり、第２装飾部２５３Ｂが離間位置に配置されたときに右側装飾部材２５３が分離状態となる。
【００５０】
詳細には、左側装飾部材２５２は、合体状態で正面視略長方形状をなし、第２装飾部２５２Ｂは、正面視略三角形状をなして合体状態の左側装飾部材２５２の右下隅部を構成する。また、右側装飾部材２５３は、合体状態で正面視略長方形状をなし、第２装飾部２５３Ｂは、正面視略三角形状をなして合体状態の右側装飾部材２５３の左下隅部を構成する。なお、左側装飾部材２５２と右側装飾部材２５３は共に、合体状態のときに、全体として１つの意匠（例えば、文字、図形、模様又はそれらの組合せ）を構成し、分離状態になると、その意匠が分割された態様となる。
【００５１】
本実施形態では、左側装飾部材２５２の第２装飾部２５２Ｂが第１装飾部２５２Ａに対して回転自在に取り付けられていて、第２装飾部２５２Ｂは、第１回動部材２１０が待機位置に配置されたときに近接位置に配置され、第１回動部材２１０が演出位置に配置されたときに離間位置に配置される（図１１（Ａ），１２参照）。具体的には、第１回動部材２１０の下縁部の前面には、第１回動部材２１０が待機位置に配置されたときに第２装飾部２５２Ｂを下方から受け止め可能な支持突起２１７（図１１（Ｂ）参照）が形成されている。そして、第１回動部材２１０が演出位置に配置されると、支持突起２１７による第２装飾部２５２Ｂの受け止めが解除され、第２装飾部２５２Ｂが自重により回動軸部２５２Ｊ（図１７参照）を中心に回動して離間位置に配置される。
【００５２】
ここで、図１７に示されるように、左側装飾部材２５２の第２装飾部２５２Ｂには、第２装飾部２５２Ｂが近接位置に配置された状態で第２装飾部２５２Ｂの回動軸部２５２Ｊから第１装飾部２５２Ａ側に張り出す当接突片２５２Ｔが設けられている。この当接突片２５２Ｔは、第２装飾部２５２Ｂが離間位置へ向かって回動するときに、第１装飾部２５２Ａに設けられた当接規制壁２５２Ｈと当接することで第２装飾部２５２Ｂの回動を規制する。これにより、支持突起２１７による受け止めが解除された第２装飾部２５２Ｂが離間位置（図１２参照）に位置決めされ、分離状態の左側装飾部材２５２の外観の安定化が図られる。
【００５３】
第１回動部材２１０が演出位置から待機位置へ回動すると、離間位置に配置された第２装飾部２５２Ｂに支持突起２１７が下方から当接して第２装飾部２５２Ｂを押し上げる。そして、支持突起２１７によって押し上げられた第２装飾部２５２Ｂは、離間位置から近接位置に配置される。
【００５４】
また、本実施形態では、右側装飾部材２５３の第２装飾部２５３Ｂが第１装飾部２５３Ａに対して回転自在に取り付けられていて、第２装飾部２５３Ｂは、第１回動部材２１０が待機位置に配置されたときに近接位置に配置され、第１回動部材２１０が演出位置に配置されたときに離間位置に配置される（図１１（Ａ），１２参照）。具体的には、第２装飾部２５３Ｂの後面には、第２回動部材２２０に取り付けられた中央装飾部材２２５（詳細には、張出部２２５Ｂ）と当接可能な当接突部２５４が形成されていて（図１１（Ｂ）参照）、第１回動部材２１０が待機位置に配置された状態で、中央装飾部材２２５が第２装飾部２５３Ｂの当接突部２５４を下方から受け止める。そして、第１回動部材２１０が演出位置に配置されると、その第１回動部材２１０の移動に連動して第２回動部材２２０が回動し、その第２回動部材２２０の回動に伴って中央装飾部材２２５による当接突部２５４の受け止めが解除される。そして、第２装飾部２５３Ｂが自重により回動軸部２５３Ｊを中心に回動して離間位置に配置される。
【００５５】
ここで、図１７に示されるように、右側装飾部材２５３の第２装飾部２５３Ｂには、第２装飾部２５３Ｂが近接位置に配置された状態で第２装飾部２５３Ｂの回動軸部２５３Ｊから第１装飾部２５３Ａ側に張り出す当接突片２５３Ｔが設けられている。この当接突片２５３Ｔは、第２装飾部２５３Ｂが離間位置へ向かって回動するときに、第１装飾部２５３Ａに設けられた当接規制壁２５３Ｈと当接することで第２装飾部２５３Ｂの回動を規制する。これにより、中央装飾部材２２５による受け止めが解除された第２装飾部２５３Ｂが離間位置（図１２参照）に位置決めされ、分離状態の右側装飾部材２５３の外観の安定化が図られる。
【００５６】
第１回動部材２１０が演出位置から待機位置へ回動すると、離間位置に配置された右側装飾部材２５３の第２装飾部２５３Ｂ（詳細には、当接突部２５４）に中央装飾部材２２５が下方から当接して第２装飾部２５３Ｂを押し上げる。そして、中央装飾部材２２５によって押し上げられた第２装飾部２５３Ｂは、離間位置から近接位置に配置される。
【００５７】
本実施形態では、左側装飾部材２５２の第２装飾部２５２Ｂと右側装飾部材２５３の第２装飾部２５３Ｂは共に、自重によって離間位置側に付勢されている。このため、左側装飾部材２５２と右側装飾部材２５３において、第２装飾部２５２Ｂ，２５３Ｂがずり落ちると、第１装飾部２５２Ａ，２５３Ｂとの間に隙間が生じて見栄えが悪くなるという問題が起こり得る。ここで、本実施形態の遊技機１０では、第１回動部材２１０は、待機位置に配置された状態で、引張りバネ２１３（図１０参照）によって上側に付勢されている。そして、この引張りバネ２１３によって、左側装飾部材２５２の第２装飾部２５２Ｂを下方から受け止める支持突起２１７が上側に付勢されると共に、右側装飾部材２５３の第２装飾部２５３Ｂを下方から受け止める中央装飾部材２２５が上側に付勢されるので、第２装飾部２５２Ｂ，２５３Ｂのずり落ちが抑えられる。これにより、左側装飾部材２５２及び右側装飾部材２５３においては、合体状態で第１装飾部２５２Ａ，２５３Ａと第２装飾部２５２Ｂ，２５３Ｂの間に隙間が形成されることが抑えられ、各装飾部材２５２，２５３の外観不良が抑制される。
【００５８】
ここで、カバー部材２５０が上部固定ベース２０１に固定されて上下方向に移動不可能となっていると、第１回動部材２１０が演出位置から待機位置へ向かうときにカバー部材２５０を押し上げることができなくなる。そうすると、第１回動部材２１０が待機位置に配置されると同時に、左側装飾部材２５２と右側装飾部材２５３が合体状態となることが要求されるが、そのような要求は、第１回動部材２１０、左側装飾部材２５２及び右側装飾部材２５３の位置ずれを考慮すれば、現実的に不可能である。これに対し、本実施形態の遊技機１０では、カバー部材２５０が吊上げバネ２５５によって上側への移動を許容されているので、第１回動部材２１０がカバー部材２５０を押し上げ可能となっている。これにより、遊技機１０では、左側装飾部材２５２の第２装飾部２５２Ｂと右側装飾部材２５３の第２装飾部２５３Ｂを近接位置に配置してから更に押し上げることが可能となり、第１回動部材２１０、左側装飾部材２５２及び右側装飾部材２５３に位置ずれが生じても、左側装飾部材２５２と右側装飾部材２５３を確実に合体状態にすることが可能となる。しかも、吊上げバネ２５５のバネ定数は、引張りバネ２１３（図１０参照）のバネ定数よりも小さくなっているので、第１装飾部２５２Ａ，２５３Ａと合体した第２装飾部２５２Ｂ，２５３Ｂを第１回動部材２１０と第２回動部材２２０によって更に上側へ押し上げるときの駆動源２１０Ｋ（図１０，１１（Ｂ）参照）にかかる負荷を低減可能となる。
【００５９】
また、本実施形態の遊技機１０では、左側装飾部材２５２と右側装飾部材２５３に近接配置される中央装飾部材２２５が下方に移動する構成となっているので、それら装飾部材２２５，２５２，２５３による演出の趣向性の向上が図られる。しかも、中央装飾部材２２５は第２回動部材２２０に支持されているので、第２回動部材２２０が中央装飾部材２２５を左側装飾部材２５２及び右側装飾部材２５３に対して移動させるときに、それら装飾部材２５２，２５３を合体状態から分離状態に変化させることが可能となり、装飾部材２２５，２５２，２５３による演出の趣向性の更なる向上が図られる。
【００６０】
［下部可動役物ユニット１００と上部可動役物ユニット２００の連動演出］
図１８に示されるように、遊技機１０では、上部可動役物ユニット２００による演出が下部可動役物ユニット１００による演出と連動して行われる。具体的には、下部可動役物ユニット１００の下部可動役物１００Ｙが後退位置（図３参照）から前進位置（図８参照）にされたときに、上部可動役物ユニット２００の第１回動部材２１０が待機位置（図１１（Ａ）参照）から演出位置（図１２参照）へと移動する。すると、図１９（Ａ），（Ｂ）に示されるように、前進位置に配置された下部可動役物１００Ｙにおける第２移動部材１２０の先端部（上端部）とその先方領域とが上部可動役物ユニット２００の第１回動部材２１０によって前側から覆われる。
【００６１】
図１８，１９（Ａ）に示されるように、第１回動部材２１０が演出位置に配置されると、その第１回動部材２１０に前側を覆われていた上部装飾プレート２０５が露出する。なお、図１９（Ｂ）に示されるように、演出位置に配置された第１回動部材２１０は、下部可動役物１００Ｙと上部装飾プレート２０５の間の隙間を前側から覆う。
【００６２】
ここで、上述したように、下部可動役物１００Ｙが前進位置に配置された状態では、下部固定ベース１０１（図４参照）に固定された装飾プレート１０５と、下部可動役物１００Ｙの第１移動部材１１０及び第２移動部材１２０の前面に固定された装飾プレート１１５及び装飾プレート１２５と、が直線状に並び、１つの棒状の意匠を構成する。また、上部装飾プレート２０５は、下部可動役物１００Ｙの延長線上に配置され、上部装飾プレート２０５には、第２移動部材１２０の装飾プレート１２５と同様の装飾が施されている。なお、図１８，１９（Ａ）では、装飾プレート１０５，１１５，１２５，２０５が灰色で示されることで、それら装飾プレート１０５，１１５，１２５，２０５が同様の装飾が施されていることを表している。
【００６３】
下部可動役物ユニット１００と上部可動役物ユニット２００による連動演出の説明は以上である。このように、本実施形態の遊技機１０では、下部可動役物１００Ｙが移動するのに加えて、下部可動役物１００Ｙの一部が第１回動部材２１０に覆われるので、従来より趣向性の向上を図ることが可能となる。しかも、本実施形態では、下部可動役物ユニット１００の下部可動役物１００Ｙの先端（第２移動部材１２０の先端）が第１回動部材２１０で覆われることで、下部可動役物１００Ｙの先端が実際の位置よりも先方まで延びているように見せることが可能となる（図１９（Ａ）参照）。その結果、下部可動役物１００Ｙを実際の長さよりも長く見せることが可能となり、遊技者にインパクトを与えることが可能となる。
【００６４】
しかも、下部可動役物１００Ｙの先端部（上端部）を隠す第１回動部材２１０は、待機位置に配置された状態でカバー部材２５０に前側を覆われて視認困難となっているので、第１回動部材２１０が出現したときに遊技者に意外性を付与することが可能となる。さらに、第１回動部材２１０は、カバー部材２５０の移動に伴って出現するので、第１回動部材２１０が単に出現する場合よりも趣向性の向上が図られる。
【００６５】
また、下部可動役物１００Ｙは、第１移動部材１１０と第２移動部材１２０を前後にずらして備え、後退位置に配置された状態で第１移動部材１１０と第２移動部材１２０を前後に重ねて配置し、前進位置に配置された状態で第１移動部材１１０と第２移動部材１２０を下部可動役物１００Ｙの移動方向にずらして配置する構成となっているので、後退位置に配置された下部可動役物１００Ｙの設置スペースをコンパクトにすることが可能となる。
【００６６】
また、遊技機１０では、下部可動役物１００Ｙが前進位置に配置され、第１回動部材２１０が演出位置に配置されたときに、下部可動役物１００Ｙの先端部を構成する装飾プレート１２５と同様の装飾が施された上部装飾プレート２０５が下部可動役物１００Ｙの延長線上に出現するので、下部可動役物１００Ｙが第１回動部材２１０を貫通しているかのように見せることが可能となる。しかも、上部装飾プレート２０５は、待機位置に配置された第１回動部材２１０の裏側に隠れるので、上部装飾プレート２０５の存在を分かり難くすることができる。
【００６７】
なお、本実施形態において、以下の構成としても、上述と同様の作用効果を奏することが可能である。
（１）吊上げバネ２５５のバネ定数が、引張りバネ２１３（図１０参照）のバネ定数よりも大きくてもよい。
【００６８】
（２）遊技機１０が、引張りバネ２１３の代わりに圧縮バネを備え、該圧縮バネの両端部がベースプレート２０２と第１回動部材２１０とに固定されることにより、第１回動部材２１０が上方に付勢される構成であってもよい。
【００６９】
（３）左側装飾部材２５２及び右側装飾部材２５３の第１装飾部２５２Ａ，２５３Ａに、当接規制壁２５２Ｈ，２５３Ｈが設けられていなくてもよく、また、左側装飾部材２５２及び右側装飾部材２５３の第２装飾部２５２Ｂ，２５３Ｂに当接突片２５２Ｔ，２５３Ｔが設けられなくてもよい。そして、第２装飾部２５２Ｂ，２５３Ｂは、自重によって落下した後は、第１装飾部２５２Ａ，２５３Ａとの連結部分にのみ支えられて、第１装飾部２５２Ａ，２５３Ａにぶら下がるような構成であってもよい。
【００７０】
（４）支持突起２１７が左側装飾部材２５２の第２装飾部２５２Ｂを押し上げるとき、支持突起２１７は、第２装飾部２５２Ｂの下端に当接して第２装飾部材２５２Ｂを押し上げてもよいし、第２装飾部２５２Ｂに支持突起２１７と当接する当接突部を設けて、該当接突起に支持突起２１７が下方から当接して第２装飾部材２５２Ｂを押し上げてもよい。
【００７１】
（５）右側装飾部材２５３の第２装飾部２５３Ｂの後面に、当接突部２５４が形成されていなくてもよく、例えば、中央装飾部材２２５が、第２装飾部２５２Ｂの下端部に下方から当接して第２装飾部２５２Ｂを押し上げる構成であってもよい。
【００７２】
（６）右側装飾部材２５３の第２装飾部２５３Ｂの当接突部２５４と当接する突部を第１回動部材２１０又は第２回動部材２２０に設けて、該突部が当接突部２５４と当接して第２装飾部２５３Ｂを上方に押し上げる構成であってもよい。このとき、遊技機１０が、中央装飾部材２２５のみを備えていなくてもよいし、中央装飾部材２２５と左側装飾部材２５２の両方を備えていなくてもよい。
【００７３】
（７）遊技機１０が、右側装飾部材２５３のみを備えていなくてもよいし、右側装飾部材２５３と中央装飾部材２２５の両方を備えていなくてもよい。
【００７４】
（８）カバー部材２５０が上部固定ベース２０１に固定されていてもよく、カバー部材２５０に、吊上げバネ２５５が取り付けられていなくてもよい。
【００７５】
＜付記＞
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００７６】
＜特徴Ａ群＞
以下の特徴Ａ群は、「装飾部材を有する」遊技機に関し、「特許文献Ａ（特開２０１７−０２９７８９号（段落［００２２］、図４，７））には、装飾部材を構成する２つの可動体の一方が他方に対して自重で落下移動する遊技機が示されている。」という背景技術について、「特許文献Ａの遊技機では、２つの可動体が合体した状態において、他方の可動体が自重で下がると、２つの可動体の間に隙間が形成されてしまい、装飾部材の見栄えが悪くなるという問題があった。」という課題をもってなされたものである。
【００７７】
［特徴Ａ１］
第１装飾部（第１装飾部２５２Ａ，２５３Ａ）と第２装飾部（第２装飾部２５２Ｂ，２５３Ｂ）とを有し、前記第１装飾部に対して前記第２装飾部が自重で落下移動することにより合体状態から分離状態に変化する装飾部材（左側装飾部材２５２と右側装飾部材２５３）を備えた遊技機（遊技機１０）であって、
前記合体状態において前記第２装飾部のずり落ちを抑制する合体保持機構（第１回動部材２１０と第２回動部材２２０と引張りバネ２１３）を有する遊技機。
【００７８】
本特徴に示す構成では、合体状態において第２装飾部のずり落ちが抑えられる。これにより、合体状態において、第１装飾部と第２装飾部の間に隙間が形成されることが抑えられ、装飾部材の外観不良が抑制される。
【００７９】
［特徴Ａ２］
特徴Ａ１に記載の遊技機において、
前記合体保持機構は、駆動源（駆動源２１０Ｋ）により駆動されて前記第２装飾部を押し上げることにより前記装飾部材を前記分離状態から前記合体状態に復帰させる押上部材（第１回動部材２１０と第２回動部材２２０）と、前記合体状態において前記押上部材を上側に付勢する付勢手段（引張りバネ２１３）とを備える遊技機。
【００８０】
本特徴に示す構成では、押上部材を付勢手段によって上側に付勢することで、第２装飾部のずり落ちが抑えられる。
【００８１】
［特徴Ａ３］
特徴Ａ２に記載の遊技機において、
前記合体状態において前記第１装飾部が上側に移動することを許容する移動許容手段（吊上げバネ２５５）を有する遊技機。
【００８２】
本特徴に示す構成では、第１装飾部と合体した第２装飾部をさらに上側に押し上げることが可能となるので、第１装飾部と第２装飾部を確実に合体させることが可能となる。
【００８３】
［特徴Ａ４］
特徴Ａ３に記載の遊技機において、
前記付勢手段と前記移動許容手段とは共にバネで構成され、
前記移動許容手段を構成するバネのバネ定数が前記付勢手段を構成するバネのバネ定数がより小さくなっている遊技機。
【００８４】
本特徴に示す構成では、第１装飾部と合体した第２装飾部を押上部材によってさらに上側へ押し上げるときの駆動源の負荷を低減可能となる。
【００８５】
［特徴Ａ５］
特徴Ａ４に記載の遊技機において、
前記第１装飾部は、自重によって上端位置から下端位置へ移動可能に構成され、
前記移動許容手段は、前記第１装飾部を上側に付勢する引張りバネで構成されている遊技機。
【００８６】
移動許容手段を構成するバネは、圧縮バネであっても引張りバネであってもよいが、本特徴に示す構成のように、引張りバネで構成すれば、圧縮バネで構成したときよりも、駆動源の負荷を低減可能となる。
【００８７】
［特徴Ａ６］
特徴Ａ２乃至Ａ５のうち何れか１に記載の遊技機において、
前記合体状態において前記装飾部材に近接配置される別の装飾部材（中央装飾部材２２５）をさらに有し、
前記押上部材は、前記別の装飾部材を支持して、前記別の装飾部材を前記装飾部材の近くに配置する上側近接位置（図１１（Ａ）に示される第１回動部材２１０と第２回動部材２２０の位置）と、前記別の装飾部材を前記装飾部材から下方に離れた位置に配置する下側離間位置（図１２に示される第１回動部材２１０と第２回動部材２２０の位置）と、の間を移動可能に構成され、
前記装飾部材は、前記押上部材が前記上側近接位置に配置されたときに前記合体状態となり、前記押上部材が前記下側離間位置に配置されたときに前記分離状態となる遊技機。
【００８８】
本特徴に示す構成では、装飾部材に近接配置される別の装飾部材が下方に離れることで、演出の趣向性の向上が図られる。また、本構成では、押上部材が別の装飾部材を装飾部材に対して移動可能に構成されているので、別の装飾部材を装飾部材に対して移動させるときに、装飾部材を合体状態と分離状態に変化させることが可能となる。
【００８９】
［特徴Ａ７］
特徴Ａ１乃至Ａ６のうち何れか１の請求項に記載の遊技機において、
落下する前記第２装飾部を予め設定された落下位置に位置決めする位置決め機構（当接突片２５２Ｔ，２５３Ｔと当接規制壁２５２Ｈ，２５３Ｈ）を有する遊技機。
【００９０】
本特徴に示す構成では、落下移動した第２装飾部が予め設定された落下位置で受け止められるので、分離状態の装飾部材の外観の安定化が図られる。
【００９１】
［特徴Ａ８］
特徴Ａ７に記載の遊技機において、
前記第２装飾部は、前記第１装飾部の下端部に回動可能に支持され、
前記位置決め機構は、前記第２装飾部の回動軸部から前記第１装飾部側に張り出した当接突片（当接突片２５２Ｔ，２５３Ｔ）と、前記第１装飾部に設けられ、前記分離状態で前記当接突片と当接して前記第２装飾部の回動を規制する当接規制壁（当接規制壁２５２Ｈ，２５３Ｈ）と、からなる遊技機。
【００９２】
本特徴に示す構成によれば、簡易な構成で第２装飾部を予め設定された落下位置に位置決めすることが可能となる。
【００９３】
［特徴Ａ９］
装飾部の一部（第２装飾部２５２Ｂ，２５３Ｂ）が自重で落下移動することにより合体状態から分離状態に変化する装飾部材（左側装飾部材２５２と右側装飾部材２５３）を備えた遊技機（遊技機１０）であって、
前記合体状態において前記装飾部の一部のずり落ちを抑制する合体保持機構（第１回動部材２１０と第２回動部材２２０と引張りバネ２１３）を有する遊技機。
【００９４】
本特徴に示す構成では、合体状態において装飾部の一部のずり落ちが抑えられる。これにより、合体状態において、装飾部材に隙間が形成されることが抑えられ、装飾部材の外観不良が抑制される。
【００９５】
［特徴Ａ１０］
特徴Ａ９に記載の遊技機において、
前記合体保持機構は、前記合体状態で前記装飾部の一部を下側から受け止め可能な受止部材（第１回動部材２１０と第２回動部材２２０）と、前記受止部材を上側に付勢する付勢手段（引張りバネ２１３）と、を備える遊技機。
【００９６】
本特徴に示す構成では、受止部材を付勢手段によって上側に付勢することで、装飾部の一部のずり落ちが抑えられる。
【００９７】
なお、特徴Ａ９，Ａ１０に示す構成に、特徴Ａ３〜Ａ８に示す構成が組み合わされてもよい。
【符号の説明】
【００９８】
１０    遊技機
１１    遊技盤
２００    上部可動役物ユニット
２０１    上部固定ベース
２１０    第１回動部材
２１３    アシストバネ
２２０    第２回動部材
２２５    中央装飾部材
２５０    カバー部材
２５２    左側装飾部材
２５３    右側装飾部材
２５５    吊上げバネ
【図１】
2019058439.tif 000003
【図２】
2019058439.tif 000004
【図３】
2019058439.tif 000005
【図４】
2019058439.tif 000006
【図５】
2019058439.tif 000007
【図６】
2019058439.tif 000008
【図７】
2019058439.tif 000009
【図８】
2019058439.tif 000010
【図９】
2019058439.tif 000011
【図１０】
2019058439.tif 000012
【図１１】
2019058439.tif 000013
【図１２】
2019058439.tif 000014
【図１３】
2019058439.tif 000015
【図１４】
2019058439.tif 000016
【図１５】
2019058439.tif 000017
【図１６】
2019058439.tif 000018
【図１７】
2019058439.tif 000019
【図１８】
2019058439.tif 000020
【図１９】
2019058439.tif 000021